(57)【特許請求の範囲】
【請求項１】
撮像装置で撮像された画像データとその画像データを撮像した際の時間情報を含む関連データとを受信する画像データ受信手段と、
上記受信した画像データと関連データとを複数記憶する画像記憶手段と、
上記撮像装置によってユーザから指定された出力依頼を受信する依頼受信手段と、
上記出力依頼にを受信した際は、上記画像記憶手段に記憶された各画像データを、その画像情報に関連付けられた時間情報に基づいて時間順でプリント出力する出力手段と、を具備したことを特徴とする画像処理装置。
【発明の詳細な説明】
【０００１】
【発明の属する技術分野】
本発明は、撮像装置により撮像された画像データを利用しやすい形でユーザに提供する装置に関する。
【０００２】
【従来の技術】
近時、撮影した画像をフィルムの代わりに電気的に記憶するデジタルカメラ（電子カメラ）が普及してきている。かかるデジタルカメラは、シャッタボタンが押下されて被写体の画像の取り込みが指示されると、ＣＣＤ等の固体撮像素子により画像を電気的に取り込み、この取り込んだ画像をＪＰＥＧ等の圧縮処理技術により圧縮し、圧縮した静止画像をフラッシュメモリ等の固体メモリに記憶する。
【０００３】
デジタルカメラは、撮影した画像をその場で確認できる機能を有していて、従来の現像して焼き付けしないと撮影した画像を見ることができないフィルム撮影によるカメラに比べ、即応性という点において優れている。
【０００４】
また最近では、電子手帳などのＰＤＡ（Ｐｅｒｓｏｎａｌ  Ｄｉｇｉｔａｌ  Ａｓｓｉｓｔａｎｔ  ）機能を有した装置に上記デジタルカメラ機能を具備したものも商品化されて、撮影した画像データを電話回線を通じて他へ送信することも可能になっている。
【０００５】
【発明が解決しようとする課題】
本発明は、撮像装置により撮像された画像データを利用しやすい形で出力することが可能な画像処理装置を提供することを目的とする。
【０００６】
【課題を解決するための手段】
請求項１の発明は、撮像装置で撮像された画像データとその画像データを撮像した際の時間情報を含む関連データとを受信する画像データ受信手段と、上記受信した画像データと関連データとを複数記憶する画像記憶手段と、上記撮像装置によってユーザから指定された出力依頼を受信する依頼受信手段と、上記出力依頼にを受信した際は、上記画像記憶手段に記憶された各画像データを、その画像情報に関連付けられた時間情報に基づいて時間順でプリント出力する出力手段と、を具備したことを特徴とする。
【００１０】
【発明の実施の形態】
以下、図１〜図２２を参照して本発明の実施の形態を詳細に説明する。まず、構成について説明する。
【００１１】
図１に、本発明の実施の形態の画像データ処理システムのシステム構成図を示す。図１において、画像データ処理システム１は、撮像装置としてのＰＤＡ（Ｐｅｒｓｏｎａｌ  Ｄｉｇｉｔａｌ  Ａｓｓｉｓｔａｎｔ  ）２、センター装置としての画像データ処理装置３、端末装置としてのパーソナルコンピュータ４等で構成され、各部は通信回線ａで接続されている。また、画像データ処理装置３には、プリンタ５が接続されている。
【００１２】
図２に、ＰＤＡ２、図３に、画像データ処理装置３の要部構成を示すブロック図を示す。ＰＤＡ２は、図２に示すように、ＣＰＵ（Ｃｅｎｔｒａｌ  Ｐｒｏｃｅｓｓｉｎｇ  Ｕｎｉｔ）１１、イメージ入力部１２、表示装置１３、入力装置１４、縦横センサー１５、通信装置１６、ＲＡＭ（Ｒａｎｄｏｍ  Ａｃｃｅｓｓ  Ｍｅｍｏｒｙ）１７、ＲＯＭ（Ｒｅａｄ  Ｏｎｌｙ  Ｍｅｍｏｒｙ）１８、記憶装置１９、計時部２０、ＧＰＳ（Ｇｌｏｂａｌ  Ｐｏｓｉｔｉｏｎｉｎｇ  Ｓｙｓｔｅｍ）測定部２１、計数部２２等から構成されており、各部はバス２３により接続されている。
【００１３】
ＣＰＵ１１は、ＲＯＭ１８に記憶されている各種制御プログラムに従ってＲＡＭ１７との間で、入力装置１４の入力に応じた各種動作に必要な演算処理を行い、この演算処理に基づいてＰＤＡ２の各部を制御するための各種制御信号を生成して出力する。
【００１４】
イメージ入力部１２は、図示しないが、ＣＣＤ（Ｃｈａｒｇｅ  Ｃｏｕｐｌｅｄ  Ｄｅｖｉｃｅ）、レンズ、Ａ／Ｄ変換器、駆動回路、タイミングジェネレーター等から構成され、レンズに結像した被写体の光をＣＣＤで受光し、ＣＣＤの受光面上に配された各転送電極毎に受光量に比例した電荷を蓄積し、駆動回路により供給される駆動信号に応じて、各転送電極に蓄えられた蓄積電荷を電気信号（アナログ信号）として、１電極づつ順次Ａ／Ｄ変換器でデジタル画像データに変換する。
【００１５】
表示装置１３は、液晶表示パネル等により構成され、撮像した画像データに基づく画像を表示する他、ＣＰＵ１１から入力される指示内容、或いは入力装置１４で入力したコメント、タイトルなどを表示する。
【００１６】
入力装置１４は、図示はしないが、カーソルキー、数字入力キー、各種機能キー等を備えたキーボードのキーを押下することにより押下信号をＣＰＵ１１に出力する装置であり、画像データに対するタイトル、コメントを入力する他、出力形式の決定を行う。また、入力装置１４は、図示しない液晶ディスプレイ上に透明の位置検出タブレットを重ね、指先の接触を感圧方式により加圧地点のＸＹ座標を検出し、ＣＰＵ１１に出力する、いわゆるタブレットタイプのものであってもよい。
【００１７】
縦横センサー１５は、ＰＤＡ２を横にして撮像したか或いは縦にして撮像したか検出するためのセンサーで、ＰＤＡ２内に振り子を設けてその回転によって検出する。
【００１８】
通信装置１６は、画像データ処理装置３或いは端末装置４と通信回線ａを介して画像データ等を送受信するための通信プロトコルを実行する機能を有し、通信回線ａと接続可能な端子が備えられている。
【００１９】
ＲＡＭ１７は、画像データ等を一時的に記憶する記憶領域とＣＰＵ１１の作業領域を有し、入力装置１４からの入力に従い、データが書き換え可能となっている。
【００２０】
ＲＯＭ１８は、ＰＤＡ２内で実行される各種制御プログラムや、そのプログラム処理で使用されるデータ等を格納している。記憶装置１９は、撮像した画像データを記憶する装置である。また、記憶装置１９は、プログラムやデータなどが予め記憶されている記憶媒体１９ａを有しており、この記憶媒体１９ａは磁気的、光学的記憶媒体、若しくは半導体メモリで構成されている。この記憶媒体１９ａには記憶装置１９に固定的に設けられたもの、若しくは着脱自在に装着されるものがある。記憶媒体１９ａに記憶されるプログラム、データなどは、通信回線などを介して接続された他の機器から受信して記憶する構成としてもよい。
【００２１】
計時部２０は、時計機能を有し、撮像した時間を計時して、当該時間データをＣＰＵ１１に出力する。ＧＰＳ（Ｇｌｏｂａｌ  Ｐｏｓｉｔｉｏｎｉｎｇ  Ｓｙｓｔｅｍ）測定部２１は、ユーザーが画像データを撮像した場所を測定する機能を有し、地上の制御局から複数の人口衛星（例えば、４つ以上）に送った電波の到達時間とこの人口衛星からＰＤＡ２に送った電波の到達時間の差により画像データを撮像した場所を特定し、その座標データや地名等をＣＰＵ１１に出力する。
【００２２】
計数部２２は、図示しないが、カウンタ等から構成され、所定の撮像開始時からの撮像枚数をカウントし、得られた結果をＣＰＵ１１に出力する。そして、ＰＤＡ２は、ユーザーによる送信命令に従い画像データ、該画像データの撮影した時間のデータ、ＧＰＳデータ、縦横データ、枚数データ、コメント、タイトル、更に、希望する出力形式の命令信号も画像データ処理装置３に送信する。
【００２３】
次に、図３に、本発明を適用した一実施の形態のセンターの画像データ処理装置３の要部構成を表すブロック図を示す。図３に示す画像データ処理装置３は、内部に、ＣＰＵ３１、ＲＡＭ３２、プログラムメモリ３３、データ記憶装置３４、通信装置３５などを備えている。
【００２４】
ＣＰＵ３１は、プログラムメモリ３３に格納されている各種制御プログラムに従って、データ記憶装置３４に記憶された画像データやそれに関連するデータ（画像データ等）を取り出して画像データ編集処理し、処理した結果を再びデータ記憶装置３４に記憶したり、プリンタ５などに出力したりする。
【００２５】
ＲＡＭ３２は、ＣＰＵ３１で行われる画像データ編集処理の作業領域を形成する。プログラムメモリ３３は、プログラム、データ等が予め記憶されている記憶媒体３３ａを有しており、この記憶媒体は磁気的、光学的記憶媒体、若しくは半導体メモリで構成されている。この記憶媒体３３ａは記憶装置に固定的に設けたもの、若しくは着脱自在に装着するものである。また、前記記憶媒体３３ａに記憶するプログラム、データ等は、通信回線ａ等を介して接続された他の機器側に前記記憶媒体を備えた記憶装置を設け、この記憶媒体３３ａに記憶されているプログラム、データを通信回線ａを介して使用する構成にしてもよい。
【００２６】
データ記憶装置３４には、図１１に示すようなフォーマットメモリ３４ａ、データメモリ３４ｂ、アルバムメモリ３４ｃ等で構成され、ＰＤＡ２から送信される画像データやそれに関連するデータ或いは編集後の画像データやそれに関連するデータが記憶されている。
【００２７】
通信装置３５は、ＰＤＡ２或いはパーソナルコンピュータ４と通信回線ａ（例えば、電話回線）で接続されて、通信回線ａを介して画像データ等を送受信するための通信プロトコルを実行する通信機能を有している。
【００２８】
そして、画像データ処理装置３は、ＰＤＡ２から受信した画像データやそれに関連するデータ、或いは出力形式の命令信号を通信装置３５で受信し、受信した画像データ等をデータ記憶装置３４に記憶しておく。そして、出力形式の命令信号に基づいて、ＣＰＵ３１によりデータ記憶装置３４から画像データ等を取り出し、画像データ等の編集処理を行い、処理した結果をパーソナルコンピュータ４或いはプリンタ５に出力する。また、画像データ処理装置３は、パーソナルコンピュータ４で再編集した画像データや画像データ関連情報を受信してデータ記憶装置３４に記憶する。
【００２９】
次に、図４に、本発明を適用した一実施の形態のパーソナルコンピュータ４の要部構成を示すブロック図を示す。図４に示すパーソナルコンピュータ４は、ＣＰＵ４１、ＲＡＭ４２、ＲＯＭ４３、ハードディスク４４、キーボード４５、表示装置４６、通信装置４７、音声出力装置４８等で構成されている。
【００３０】
ＣＰＵ４１は、ＲＯＭ４３に格納されている各種制御プログラムに従って、ハードディスク４４に記憶された画像データや画像データ関連情報を取り出して画像データ編集処理し、処理した結果を再びハードディスク４４に記憶したり、画像データ処理装置３に出力したりする。また、ＣＰＵ４１は、画像データ関連情報を音声に変換する制御も行う。
【００３１】
ＲＡＭ４２は、ＣＰＵ４１で行われる画像データ編集処理の作業領域を形成する。ＲＯＭ４３には、画像データ編集に必要な各種制御プログラムが格納されている。
【００３２】
ハードディスク４４には、ＰＤＡ２から送信される画像データやそれに関連するデータ或いは編集後の画像データやそれに関連するデータが記憶されている。キーボード４５は、図示はしないが、カーソルキー、数字入力キー、各種機能キー等を備えたキーボードのキーを押下することにより押下信号をＣＰＵ４１に出力する装置であり、画像データに対するタイトル、コメントを入力する他、出力形式の決定を行う。
【００３３】
表示装置４６は、ＣＲＴ（Ｃａｔｈｏｄｅ  Ｒａｙ  Ｔｕｂｅ）等により構成され、ＣＰＵ４１から入力される画像表示信号を指定された色で画像を表示する。通信装置４７は、ＰＤＡ２或いは画像データ処理装置３と通信回線ａ（例えば、電話回線）で接続されて、通信回線ａを介して画像データ等を送受信するための通信プロトコルを実行する通信機能を有している。
【００３４】
音声出力装置４８は、図示しないスピーカー等で構成され、音声出力変換された画像データ関連情報を音声により出力する。そして、パーソナルコンピュータ４は、画像データ処理装置３で編集された画像データ等を通信回線ａを介して通信装置４７で取り込み、取り込んだ画像データ等を表示装置４６画面上に表示したり、画像データ等を再編集して再び画像データ処理装置３３に出力したりする。このとき、出力形式の決定も行うことが出来る。
【００３５】
プリンタ５は、画像データ処理装置３と接続されていて編集した画像データ等を所定の形式で出力する。次に、動作について説明する。
【００３６】
図５は、ＰＤＡ２における被写体の撮像処理の内容を示すフローチャートである。入力装置１４のカメラのシャッターボタンに相当するキーが押されると、この撮像処理が開始される。ステップＳ１では、イメージ入力部１２により撮像した被写体の画像データを作成し、この画像データを記憶装置１９に記憶する。
【００３７】
ステップＳ２では、前記画像データ作成時の時間を計時部２０から読み取り、この時間データを記憶装置１９に記憶する処理を行う。ステップＳ３では、前記画像データ作成時の測定場所（座標、地名等）をＧＰＳ測定部２１から読み取り、このＧＰＳデータを記憶装置１９に記憶する。
【００３８】
ステップＳ４では、撮像した画像データが縦型か或いは横型かを縦横センサー１５から読み取り、この縦横データを記憶装置１９に記憶する。ステップＳ５では、撮像した画像データが所定の取り始めから何枚目であるかを計数部２２から読み取り、この枚数データを記憶装置１９に記憶し、本撮像処理を終了する。
【００３９】
図６は、ＰＤＡ２におけるコメント入力処理の内容を示すフローチャートである。このコメント入力処理では、ステップＳ１１で撮像した画像データを記憶装置１９から読み出す処理を行う。
【００４０】
ステップＳ１２では、入力装置１４のキーボード（図示省略）を使って、取り出した画像データに対するコメントを入力する。ステップＳ１３では、取り出した画像データに対し、ユーザーの必要に応じて分類（例えば、同一種類のものをグルーピングするために使用する。）を入力する。
【００４１】
ステップＳ１４では、入力したコメント及び分類を、読み出した画像データに対応付けて記憶装置１９に記憶する処理を行い、本コメント記入処理を終了する。
【００４２】
図７は、ＰＤＡ２から画像データ処理装置３にデータを送信するデータ送信処理の内容を示すフローチャートである。ＰＤＡ２は画像データ処理装置３に対して撮像した画像の送信と画像の出力依頼を送信できる。データ送信処理では、ステップＳ２１で画像データ処理装置３に対し出力を依頼する出力依頼があるか否かを判定し、判定の結果、出力依頼がある場合には、出力形式指定処理（ステップＳ２２）を行った後、ＰＤＡ２の通信装置１６から画像データ処理装置３の通信装置３５に出力依頼信号を送信（ステップＳ２３）して、本データ送信処理を終了するが、ステップＳ２１の判定の結果、出力依頼がない場合は、ステップＳ２４に移行する。
【００４３】
ステップＳ２４では、データ転送指示があるか否かを判定し、判定の結果、データ転送指示がない場合は、ステップＳ２１に戻って本処理を繰り返すが、データ転送指示がある場合には、ステップＳ２５でＰＤＡ２の通信装置１６から画像データ処理装置３の通信装置３５に転送指定された画像データ及びその関連データを送信する処理を行って、本データ送信処理を終了する。
【００４４】
ここで、ステップＳ２２において行われる出力形式指定処理は、画像データ処理装置３が受信し記録した画像をどのようにプリントするかを指定する処理である。具体的には、出力形式は、予め、時間単位、場所単位、縦横単位、分類単位、枚数単位、即ち、画像データの関連データ単位での出力選択が可能になっていて、その中から一つをユーザが選択することで行われる出力形式の指定により、後述する図１３に示すようなアルバムサイズで画像の配置が決定される。
【００４５】
次に、ＰＤＡ２から出力される画像データ等或いは出力依頼信号に基づいて画像データ処理装置３で実行されるセンター側の画像データ処理を図８のフローチャートを使って説明する。このフローチャートに記載したセンターの各機能を実現するプログラムはＣＰＵ３１が読み取り可能なプログラムコードの形態で前記記憶媒体３３ａに記憶されている。
【００４６】
画像データ処理装置３において、まず、ステップＳ３１において、図７のステップＳ２５でＰＤＡ２から送信された画像データ及びその関連データを通信装置３５で受信したか否かを判定する。この判定の結果、画像データ及びその関連データの受信がある場合には、ステップＳ３２に移行してデータメモリ３４ｂに画像データ及びその関連データを記憶する。（例えば、図１２に示すように画像データ５０に対応付けて関連データ（時間５１、場所５２、コメント５３、枚数５４、分類５５）が記憶される）ステップＳ３１で画像データ等の受信がないと判断されると、ステップＳ３３に移行し、図７のステップＳ２３の出力依頼信号を通信装置３５で受信したか否かを判定する。出力依頼信号を受信した場合には、ステップＳ３４で指定された出力形式をフォーマットメモリ３４ａに記憶し、ステップＳ３５でプリンタ５よりプリントアウト（例えば、図１３の（ａ）又は（ｂ）に示すような出力結果）して処理を終了する。一方、出力依頼を受信していない場合は、ステップＳ３１に戻って処理を繰り返す。
【００４７】
続いて、パーソナルコンピュータ４とセンターの画像データ処理装置３の間で行う、画像データ等の通信及び編集処理のフローを図９を使用して説明する。
【００４８】
パーソナルコンピュータ４からはセンターに対して出力を指定して画像の出力をを依頼することができる。
【００４９】
まず、パーソナルコンピュータ４から画像データ処理装置３に対し画像データ等の出力依頼（ステップＳ４１）が送信されると、画像データ処理装置３は、ステップＳ４２で、その出力依頼がパーソナルコンピュータ４への出力か或いはプリンタ５への出力かを判断する。その判断の結果、プリンタ５への出力の場合には、ステップＳ４３に移行して画像データ等を指定されたフォーマットにて出力する。一方、ＰＣ４への出力の場合には、画像データ等を指定された出力フォーマットに編集し（ステップＳ４４）、編集した画像データ等を通信装置３５からパーソナルコンピュータ４の通信装置４７に送信する。（ステップＳ４５）
【００５０】
パーソナルコンピュータ４では、ステップＳ４６でセンターの画像データ処理装置３から送信された画像データ等を受信し、受信した画像データ等を表示装置４６に表示する。この表示画面でユーザはキーボード４５を使って不要な写真などの削除等の再編集処理を実行（ステップＳ４７）する。このとき、テキストデータを音声に変換する指定をすることもでき、この指定があると、テキストデータが音声データに変換され、テキストの表示の代りに音声アイコンが画像の添付されるようになる。
【００５１】
ステップＳ４８では、この再編集した画像データ等を画像データ処理装置３に送信する処理を行う。ステップＳ４９では、画像データ処理装置３は、パーソナルコンピュータ４から送信された再編集画像データ等を通信装置３５で受信し、この受信した再編集画像データ等をデータ記憶装置３４内のアルバムメモリ３４ｃに記憶する処理（ステップＳ５０）を行い、本画像データ通信及び編集処理を終了する。
【００５２】
続いて、パーソナルコンピュータ４とセンターの画像データ処理装置３で行われるアルバムデータ通信処理の処理フローを図１０を使って説明する。パーソナルコンピュータ４から画像データ処理装置３に対しデータ記憶装置３４のアルバムメモリ３４ｃに記憶されたアルバムデータ等の出力依頼（ステップＳ５１）が送信されると、画像データ処理装置３は、ステップＳ５２で、アルバムメモリ３４ｃに格納したアルバムデータを読み出して通信装置３５によりパーソナルコンピュータ４へ送信する。
【００５３】
パーソナルコンピュータ４は、ステップＳ５３で、画像データ処理装置３から送信されたアルバムデータを通信装置４７で受信し、受信したアルバムデータを表示装置４６（例えば、ＣＲＴ画面）に表示する。（ステップＳ５４）ステップＳ５５では、表示したアルバムデータの画面上の音声アイコンがクリックされたか否かを判定し、判定の結果、音声アイコンの指定がない場合には、ステップＳ５４に移行して、表示を繰り返すが、音声アイコンの指定がある場合には、ステップＳ５６で音声出力装置４８によりテキストデータの音声変換出力を行う。
【００５４】
以上説明した画像データ処理システム１は、上記のように構成されているので、例えば、以下に示すような、画像データ処理が可能となる。まず、ＰＤＡ２を持って旅行に出かけたユーザーは、旅行先で風景や人物等を撮像する。これにより、イメージ入力部１２で画像データが作成されると同時に、計時部２０により撮像した時間が、ＧＰＳ測定部２１により撮像した場所が、縦横センサー１５により縦型で撮像したか或いは横型で撮像したかが、計数部２２により所定の撮像始めから何枚目の画像データであるかがそれぞれ計測され、画像データ及びこれに関連するデータは記憶装置１９に記憶される。
【００５５】
続いて、ユーザーは、撮像した各画像データを記憶装置１９から取り出して、表示装置１３に表示させ、画像データに対するコメント或いはタイトルを入力装置１４で入力する。このとき、ユーザーは、風景画像と人物画像とを分けるため、分類を入力する。そして、この画像データ及びその関連データを通信装置１６により通信回線ａを介してユーザーの家の近くの画像データ処理装置３を有するセンターの通信装置３５に送信させる。
【００５６】
センターの画像データ処理装置３は、受信した画像データ及びその関連データをデータ記憶装置３４に記憶しておく。そして、ユーザーは旅行最終日に、画像データ及びその関連データに基づく画像等を、例えば、時間順でプリントする出力依頼を、入力装置１４で入力し、この出力依頼信号をセンターの画像データ処理装置３に送信する。
【００５７】
センターの画像データ処理装置３は、この受信した出力依頼信号に従い、画像データ及びその関連データに基づく画像等のアルバムをプリンタ５に出力する。具体的には、図１３に示すように、時間順で画像（写真）５７の他、時間５８、場所５９、コメント６０、タイトル６１なども一緒にアルバムとして印刷される。
【００５８】
そして、ユーザーは、旅行帰りにセンターに立ち寄り、出力されたアルバムを持ち帰る。したがって、ＰＤＡ２（撮像装置）で生成された画像データ等は、ユーザーの希望する出力形式に従って編集して所定の出力形態で出力することが出来ることとなって、従来のように、出力形式がユーザーのパーソナルコンピュータ４（端末装置）の機能に影響されることがなく、撮像した画像データの付加価値を十分に引き出すことができる。
【００５９】
また、予め撮像した画像データ等を自宅近くのセンターに送信して希望する出力形式での出力が出来るので、自分で画像データ等の編集をする必要がなく便利になるとともに、出力結果をすぐに見ることが出来る。
【００６０】
また、この場合、自宅のパーソナルコンピュータ４と画像データ処理装置３が通信回線ａを介して接続されている。従って、ユーザーは、画像データ処理装置３で編集した画像データ及び画像データ関連情報をパーソナルコンピュータ４に取り込んで、不要な画像データの削除、配置換え、或いはコメントやタイトルなどの追加変更等の再編集が出来ることとなって、撮像した画像データの編集が更に思い通りにできる。
【００６１】
また、この場合、再編集処理した画像データ或いは画像データ関連情報は、再び画像データ処理装置３に送信してプリンタ５から出力することも出来る。従って、ユーザーは撮像装置或いは端末装置の何れでも出力形式の決定を行うことが出来ることとなって、更に使い勝手のよい画像データ処理システムとなる。
【００６２】
また、この場合、パーソナルコンピュータ４により、コメントやタイトルなどのテキスト情報を音声出力指示が可能である。従って、パソコン等で電子アルバムを再生する場合、テキスト情報を音声出力することが出来ることとなって、より付加価値の高い画像データ編集が可能となる。
【００６３】
次にこの発明の他の実施の形態について図１４乃至図２２を参照して説明する。図１４はこの発明の他の実施の形態を示す画像処理装置のシステムブロック図である。図１４において、パーソナルコンピュータ（以下ＰＣ）５１、形態端末装置（以下ＰＤＡ）５３およびサーバー５５は通信ネットワーク５７を介して接続されている。サーバ５５にはデータベース５９が接続される。データべース５９は位置情報（地理的座標のような物理的情報）とその位置に関連する情報（地名等の社会的情報）を記憶する。
【００６４】
図１５は図１４に示すＰＤＡ５３のシステムブロック図である。図１５に示すようにＰＤＡ５３はＣＰＵ５９、キーボード６１、撮像装置６３、表示装置６５、ＧＰＳ６７、ＲＯＭ６９、ＲＡＭ７１、通信装置７３、および方位センサ７５から構成され、各装置はシステムバス７７を介して接続されている。上記各装置のうちＣＰＵ５９、キーボード６１、撮像装置６３、表示装置６５、ＧＰＳ６７、ＲＯＭ６９、ＲＡＭ７１、および通信装置７３は図２に示すＣＰＵ１１、入力装置１４、イメージ入力装置１２、表示装置１３、ＧＰＳ２１、ＲＯＭ１８、ＲＡＭ７１、通信装置７３とそれぞれ同等の構成であるので、その説明を省略する。方位センサ７５は撮像装置６３により撮像した際の方位（すなわちどの方向を向いて撮像しているか）を測定する。
【００６５】
図１６はサーバ５５内のメモリ構成を示す。図１６のメモリ構成は、図１２に示すメモリ構成に加えて、さらに方位の情報およびその他の情報を記憶する。方位の情報はＰＤＡ５３の方位センサ７５により計測された方位情報を記憶する。また、他の情報は例えば、旅先で知り合った人を撮影したとき、その人の電子メールアドレスを聞き、それをＰＤＡ５３からサーバ５５に送ることにより、その電子メールアドレスが記憶される。この結果、後で、その撮像した画像データをその電子メールアドレスに送信することができる。
【００６６】
図１７および図１８は図１４に示すデータベース５８内の構成を示す図である。図１７に示す第１のデータベースは、位置情報（ＧＰＳ６７により測定した座標情報）８３およびその位置情報に対応する地名情報（著名な観光地名等）８５をあらかじめ記憶している。一方図１８に示す第２データベースは位置情報（ＧＰＳ６７により測定した座標情報）８７、方位情報８９、およびその方位に対応する地理情報９１を有する。例えばある位置座標（北緯何度、東経何度）の北側に何があり、南側に何があり、西側に何があり、東側に何があるかその地名をそれぞれあらかじめ記憶している。
【００６７】
図１９はサーバの受信処理を示すフローチャートである。サーバ５５はステップＳ９３において、ＰＤＡ５３から通信ネットワーク５７を介して画像データおよび位置データを受信する。次に、ステップＳ９５において、受信した画像情報および位置情報を送信者に割り当てられたデータベース５８内の特定領域に格納する。
【００６８】
図２０はＰＣ５１からの種々の要求に応答してサーバ５５が処理する内容を表わすフローチャートおよび図２１はＰＣ５１がサーバ５５に対して種々の出力要求を行う際の処理を示すフローチャートである。図２１のステップＳ１１７において、ＰＣ５１は通信ネットワーク５７を介して所望の画像データの出力要求をサーバ５５に送る。サーバ５５は、図２０のステップＳ９７において、ＰＣ５１からの画像出力要求を受け取る。そして、ステップＳ９９において、その出力要求に応答してそのユーザに割り当てられているデータベース５８の特定エリアから格納している画像データのうち、指定された画像データおよびその関連情報（図１６）を読み出しＰＣ５１に送信する。ＰＣ５１は図２１のステップＳ１１９において、サーバ５５から送られてきた画像データおよびその関連情報を、図２２Ａに示すように表示装置６５に表示する。ユーザは、ステップＳ１２１において、表示装置６５に表示された画像データのさらなる関連情報（地理的情報）を指示することができる。例えば、ＧＰＳ６７で測定した位置情報からその場所の観光地名を知りたい場合には、ユーザはカーソルをその位置情報フィールド（図２２Ａの１３３）に合わせてマウス６１をクリックする。あるいは方位センサ７５により測定された方位にもとづいて、撮影した場所の地名を知りたければ、図２２Ａに示す方位フィールド１３５にカーソルを合わせてマウスをクリックする。これによりＰＣ５１はステップＳ１２３において、クリックされた位置情報や方位情報をサーバ５５に送る。サーバ５５は図２０のステップＳ１０１において、このＰＣ５１からの要求を判断し、ステップＳ１０９において、データベース５８をサーチして、指定された情報（位置情報に対応する地名や方位情報に対応する地名）を読み出し、ステップＳ１１１において、ＰＣ５１に出力する。
【００６９】
ＰＣ５１はステップＳ１２５において、サーバ５５から上記位置情報や方位情報に対応する地名情報を受け取り、図２２Ｂに示すように「甲府」や「富士山」を表示する。
【００７０】
また、ユーザが表示装置６５に表示された画像データを図２２Ｃに示すように表示されている電子メールの宛先に送りたい場合には、その電子メールアドレスにカーソルを合わせてマウスをクリックすることにより、ＰＣはメール発信リクエストをその電子メールアドレスとともにサーバに送信する。
【００７１】
サーバは図２１のステップＳ１２７において、ＰＣから電子メールによる画像データの送信要求があったことを判断し、ステップＳ１２９において、その電子メールアドレスに画像データを送信する。
【００７２】
また、ユーザが表示装置６５に表示された画像データを印刷したい場合には、図１６の画面において、表示装置６５上の図示しない印刷のボタンをマウスでクリックすることにより、印刷要求がＰＣから通信ネットワーク５７を介してサーバ５５に送られる。
【００７３】
サーバ５５は図２１のステップＳ１２７において、ＰＣからの印刷要求を判断し、ステップＳ１３１において、指定された画像データを印刷する。また、ユーザが表示されている画像データに対してなんらかのコメントを入れたい場合がある。その場合には、キーボード装置６１からコメントを入力し、ＰＣ５１は入力されたコメントをサーバ５５に送信する。サーバ５５はＰＣからコメント入力要求をステップＳ１２７において判断し、ステップＳ１２９において、図１６に示す対応するコメントフィールド５４にそのコメントを書き込む。
【００７４】
なお、画像データの関連データは、上記した実施の形態に限るものではなく、画像データと関連がある情報であればよい。また、所定の出力形態としては、印刷装置による出力、表示装置による出力、音声装置による出力等が含まれる。
【００７５】
また、出力形式は、上記実施の形態では画像データの関連データに基づいて行うが、画像データの関連データとは、別個のデータに基づいて行うようにしてもよい。
【００７６】
【発明の効果】
本発明によれば、撮像装置で撮像された複数の画像データを、その各画像データが撮影された時間順でプリント出力できる。
【図面の簡単な説明】
【図１】本発明の実施の形態の画像データ処理システムのシステム構成図である。
【図２】ＰＤＡ２の要部構成を表すブロック図をである。
【図３】画像データ処理装置３の要部構成を表すブロック図である。
【図４】パーソナルコンピュータ４の要部構成を表すブロック図である。
【図５】ＰＤＡ２における被写体の撮像処理の内容を示すフローチャートである。
【図６】ＰＤＡ２におけるコメント記入処理の内容を示すフローチャートである。
【図７】ＰＤＡ２から画像データ処理装置３にデータを送信するデータ送信処理の内容を示すフローチャートである。
【図８】画像データ処理装置３における画像データ処理の内容を示すフローチャートである。
【図９】パーソナルコンピュータ４と画像データ処理装置３で行う、画像データ等の通信及び編集処理の内容を示すフローチャートである。
【図１０】パーソナルコンピュータ４と画像データ処理装置３で行う、アルバムデータ通信処理の内容を示すフローチャートである。
【図１１】画像データ処理装置３のデータ記憶装置３４のメモリ構成を示した図である。
【図１２】画像データ処理装置３のデータ記憶装置３４のデータメモリ構成を示した図である。
【図１３】画像データ処理システム１による画像データ等の出力結果の一形態を模式的に示した図である。
【図１４】この発明の他の実施の形態を示す画像処理装置のシステムブロック図である。
【図１５】図１４に示すＰＤＡのシステムブロック図である。
【図１６】図１４に示す実施の形態において、サーバのメモリ構成を示す図。
【図１７】図１４に示すデータベース内構成を示す図。
【図１８】図１４に示すデータベース内構成を示す図。
【図１９】この発明の他の実施の形態において、サーバの受信処理を示すフローチャート。
【図２０】この発明の他の実施の形態において、ＰＣからの種々の要求に応答してサーバが処理する内容を表わすフローチャート。
【図２１】この発明の他の実施の形態において、ＰＣがサーバに対して種々の出力要求を行う際の処理を示すフローチャート。
【図２２】ＰＣにおける画像データおよびその関連情報の画面表示例を示す図である。
【符号の説明】
１  画像データ処理システム
２  ＰＤＡ（撮像装置）
３  画像データ処理装置（センター装置）
４  パーソナルコンピュータ（端末装置）
５  プリンタ（画像データ出力手段）
１１  ＣＰＵ（撮像手段、出力形式決定手段）
１２  イメージ入力部（撮像手段）
１３  表示装置
１４  入力装置（出力形式決定手段）
１５  縦横センサー（画像データ関連情報生成手段）
１６  通信装置（通信手段）
１７  ＲＡＭ
１８  ＲＯＭ
１９  記憶装置
１９ａ  記憶媒体
２０  計時部（画像データ関連情報生成手段）
２１  ＧＰＳ測定部（画像データ関連情報生成手段）
２２  計数部（画像データ関連情報生成手段）
３１  ＣＰＵ（画像データ編集手段、第１の画像データ編集手段）
３２  ＲＡＭ
３３  プログラムメモリ
３３ａ  記憶媒体
３４  データ記憶装置（記憶手段）
３５  通信装置（通信手段）
４１  ＣＰＵ（第２の画像データ編集手段、音声出力制御手段）
４２  ＲＡＭ
４３  ＲＯＭ
４４  ハードディスク
４５  キーボード（出力形式決定手段）
４６  表示装置
４７  通信装置
４８  音声出力装置（音声出力手段）
５５  サーバー
５７  通信ネットワーク
５９  ＣＰＵ
６１  キーボード
６３  撮像装置
６５  表示装置
６７  ＧＰＳ
６９  ＲＯＭ
７１  ＲＡＭ
７３  通信装置
７５  方位センサ
７７  システムバス
７９  方位情報
８３  位置情報
８５  地理的情報
【図１】
0003622688.tif 000002
【図２】
0003622688.tif 000003
【図３】
0003622688.tif 000004
【図４】
0003622688.tif 000005
【図５】
0003622688.tif 000006
【図６】
0003622688.tif 000007
【図７】
0003622688.tif 000008
【図８】
0003622688.tif 000009
【図９】
0003622688.tif 000010
【図１０】
0003622688.tif 000011
【図１１】
0003622688.tif 000012
【図１２】
0003622688.tif 000013
【図１３】
0003622688.tif 000014
【図１４】
0003622688.tif 000015
【図１５】
0003622688.tif 000016
【図１６】
0003622688.tif 000017
【図１７】
0003622688.tif 000018
【図１８】
0003622688.tif 000019
【図１９】
0003622688.tif 000020
【図２０】
0003622688.tif 000021
【図２１】
0003622688.tif 000022
【図２２】
0003622688.tif 000023